(57)【要約】      （修正有）【課題】吊り下げ式照明器具との取り付けが便利で、安全性、安定性を備える回転式引掛シーリングローゼットを提供する。【解決手段】本回転式引掛シーリングローゼットは主に、嵌合装置の外部に嵌着面を形成（上下層の嵌着面としてもよい）することにより、吊り下げ式照明器具の取り付けに利便を図るもので、尚且つ、嵌合装置の数量を３とするため、平均的に安定した状態で吊り下げ式照明器具を支え固定することができ、使用全体における安全性、安定性を大幅に増強する。【選択図】図１
0003174448.tif 000002
【実用新案登録請求の範囲】
【請求項１】
上蓋、引掛部材、底座、嵌合装置、弾性部材、回転つまみ、ロックボタン、解除ボタン、ロック嵌合部を備える回転式引掛シーリングローゼットにおいて、
前記上蓋の周囲縁には三箇所に挿入スロットと一箇所に収納スロットを設置し、内部には二箇所に螺着穴を設け、上面の二箇所には方形の貫通孔と一箇所にロック棒孔を貫設し、
前記引掛部材の数量は二つとし、一端に設けた貫通孔にねじを貫設して上蓋内部の螺着穴に螺着し、他の一端に設けた湾曲鈎部を上向きに上蓋の貫通孔に貫設し、
前記底座は、組立時に上蓋に結合配置し、上蓋の挿入スロットに対応して並列配置する三つの挿入スロットと、上蓋の収納スロットに対応して並列配置する一つの収納スロットを備え、中央には大貫通孔を設置し、内側縁には対称位置にある一組の欠口を設け、欠口のない壁面上にはそれぞれ螺着用斜体を形成し、底面上には制御用の凸体を直立状態で設け、各挿入スロットの内側端には何れにも阻止板と挿入柱を備え、挿入スロットの一方側の阻止板に近い箇所には嵌合歯を設け、他の一方側の中段箇所には位置限定歯を設け、
前記嵌合装置の数量は三つとし、底面には半円溝を備え、その端面には挿入柱を形成し、一方側には内側面に配列させた直線状歯を延伸させ、同じ側の底面の外側縁には位置限定溝を設け、もう一方側には垂直方向の欠口を設け、側面の傍らには被押圧面を設け、外部には嵌着面を形成し、その底面にはガイド斜面を形成し、
前記弾性部材の数量は三つとし、嵌合装置にそれぞれを係合させて使用し、
前記回転つまみの底面中央には内側に向いた収納スロットを形成し、その両側にある垂直壁の底縁にはそれぞれ嵌入部を形成し、収納スロット内の軸方向の一端壁面上にはアーチ型穴を設け、上部中央には下方向に歯車を形成し、歯車の基本面の外側には対称位置にある翼状嵌合部を一組設け、
前記ロックボタンは、基本面から一組の嵌合足部を延伸させ、中央の一方側には挿入部材を延伸させ、
前記解除ボタンの外部はプッシュ面であり、内部には斜面を備え、組立時には、上蓋の収納スロット内の外側に近い箇所に配置し、プッシュ面は収納スロットの外側に配置し、
前記ロック嵌合部は、解除ボタンの斜面に対応する斜面と上方向に突出するロック棒を配置し、底面には内側方向に深く進入し弾性部材を収納するための内設穴を備え、組立時には上蓋の収納スロット内の内側に近い箇所に配置し、斜面と解除ボタンの斜面を向き合わせて密着させ、ロック棒を上蓋のロック棒孔に真正面に向かせ、上蓋と底座を結合する時、弾性部材の底端は底座内壁によって押圧されるため、ロック嵌合部全体には上向きに移動する力が生じ、ロック棒は上向きに上蓋のロック棒孔を貫通し外側に突出し、
組立時は、弾性部材を対応する嵌合装置の半円溝内に配置すると、その一端は半円溝内の端面にある挿入柱を被嵌して定位し、その後、嵌合装置を弾性部材と共に底座に対応する挿入スロット内に配置して内側方向に押し入れると、弾性部材のもう一端は挿入スロット内側端の阻止板を押圧し、阻止板上の挿入柱を被嵌して定位し、嵌合装置の欠口を上から下へ挿入スロットの一方側の嵌合歯に嵌設すると、嵌合歯は被押圧面を圧し、並びに、嵌合装置の位置限定溝が底座の位置限定歯を覆い、ロックボタンの嵌合足部を回転つまみの収納スロットに挿入し、二つの嵌合足部それぞれを対応する嵌入部に嵌止し、収納スロット内でロックボタン全体をスライドさせることにより、挿入部材をアーチ型穴に進入させるか後退させ、回転つまみの歯車を底座底面から上向きに大貫通孔に挿設すると、回転つまみの嵌入部のそれぞれは対応する底座の欠口に進入し、更に回転させることよって嵌入部を螺着用斜体に沿って徐々に上昇させて緊密に螺着させ、回転つまみのアーチ型穴は一つの凸体に仕切られてそれに対応するため、押し動かされる挿入部材はアーチ型穴内に挿入されるか後退し、凸体に密着するか分離し、並びに、嵌合装置の直線状歯を押し入れて回転つまみの歯車に噛み合わせることにより、弾性部材は圧縮することを特徴とする回転式引掛シーリングローゼット。
【請求項２】
請求項１記載の回転式引掛シーリングローゼットにおいて、前記嵌合装置の嵌着面は上層嵌着面、上層ガイド斜面、及び下層嵌着面、下層ガイド斜面を備える二層式であることを特徴とする、回転式引掛シーリングローゼット。
【請求項３】
請求項１記載の回転式引掛シーリングローゼットにおいて、前記回転つまみには手での回転を便利に行うための外側縁簡単支持部を備えることを特徴とする、回転式引掛シーリングローゼット。
【請求項４】
請求項１記載の回転式引掛シーリングローゼットにおいて、前記ロックボタンには手で押し動かすのを便利に行うための上側縁簡単移動部を設けることを特徴とする、回転式引掛シーリングローゼット。
【請求項５】
請求項１記載の回転式引掛シーリングローゼットにおいて、前記回転つまみの底縁に外側に突出した弓形面を設け、尚且つロックボタンの側面に円弧面を設け、ロックボタンを回転つまみの収納スロット内でスライドさせる時、ロックボタンの円弧面が通過するには回転つまみの弓形面を押圧しなければならないため、ロックボタンが外力により押し動かされていない場合には自らスライドするのを防ぐことを特徴とする、回転式引掛シーリングローゼット。
【考案の詳細な説明】
【技術分野】
【０００１】
本考案は、回転式引掛シーリングローゼットに関し、特に三つの嵌合装置を備える回転式引掛シーリングローゼットに係る。
【背景技術】
【０００２】
引掛シーリングローゼットは高所の固定位置（例えば天井）に取り付けるもので、尚且つ電源に電気的に接続し、さらに引掛式電気製品（最もよく見られるものに吊り下げ式照明器具がある）を組み合わせて連結し電気的に接続して使用する。よって、引掛シーリングローゼットは使用上において、高所の固定位置に取り付け、吊り下げ式照明器具に接合する二つの組立工程を含む。現在、公知の引掛シーリングローゼットと吊り下げ式照明器具間には引掛シーリングローゼット内部の相対する二端に設置する嵌合装置によって連結し、即ち、公知の引掛シーリングローゼットは二嵌合装置によって相対する１８０度の嵌着を行うが、吊り下げ式照明器具全体の安全性、安定性が良好でない欠点を有する。
【０００３】
社会の発展と科学技術の進歩に伴い、照明器具も絶え間なく更新されている。その内、引掛シーリングローゼットもまた新しいものへと改良が続けられ、特に引掛シーリングローゼット本体の取り付けの便利性及び吊り下げ式照明器具間の嵌着の安全性が非常に重視されている。
【考案の概要】
【考案が解決しようとする課題】
【０００４】
本考案の主な目的は、嵌合装置の外部に嵌着面を形成し、吊り下げ式照明器具と組み合わせて結合する利便を図り、尚且つ、嵌合装置数量が３つであるため、平均的に安定定位した状態で吊り下げ式照明器具を支えられる回転式引掛シーリングローゼットである。
【課題を解決するための手段】
【０００５】
上述目的を達成するために、本考案は回転式引掛シーリングローゼットを設計し、その構成には、上蓋、引掛部材、底座、嵌合装置、弾性部材、回転つまみ、ロックボタンを含む。
前記上蓋の周囲縁には三箇所に挿入スロットと一箇所に収納スロットを設置し、内部には二箇所に螺着穴を設け、上面の二箇所には方形の貫通孔と一箇所にロック棒孔を貫設する。前記引掛部材の数量は二つで、一端に設けた貫通孔にねじを貫設して上蓋内部の螺着穴に螺着し、他の一端に設けた湾曲鈎部を上向きに上蓋の貫通孔に貫設する。前記底部は、組立時に上蓋に結合配置し、前記底座には上蓋の挿入スロットに対応して並列配置する三つの挿入スロットと、上蓋の収納スロットに対応して並列配置する一つの収納スロットを備え、中央には大貫通孔を設置し、内側縁には対称位置にある一組の欠口を設け、欠口のない壁面上にはそれぞれ螺着用斜体を形成し、底面上には制御用の凸体を直立状態で設ける。各挿入スロットの内側端には何れにも阻止板と挿入柱を備え、挿入スロットの一方側の阻止板に近い箇所には嵌合歯を設け、他の一方側のほぼ中段箇所には位置限定歯を設ける。
【０００６】
前記嵌合装置の数量は三つで、各嵌合装置の底面には半円溝を備え、その端面には挿入柱を形成し、一方側には内側面に配列させた直線状歯を延伸させ、同じ側の底面の外側縁には位置限定溝を設け、もう一方側には垂直方向の欠口を設け、側面の傍らには被押圧面を設ける。また、嵌合装置の外部には嵌着面を形成し、その底面にはガイド斜面を形成する。前記弾性部材の数量は３とし、嵌合装置にそれぞれを係合させて使用する。前記回転つまみの底面中央には内側に向いた収納スロットを形成し、その両側にある垂直壁の底縁にはそれぞれ嵌入部を形成し、収納スロット内の軸方向の一端壁面上にはアーチ型穴を設ける。上部中央には下方向に歯車を形成し、歯車の基本面の外側には対称位置にある翼状嵌合部を一組設ける。前記ロックボタンは、基本面から一組の嵌合足部を延伸させ、中央の一方側には挿入部材を延伸させる。
【０００７】
前記解除ボタンの外部はプッシュ面であり、内部には斜面を備える。組立時には上蓋の収納スロット内の外側に近い箇所に配置し、プッシュ面は収納スロットの外側に配置する。前記ロック嵌合部には、解除ボタンの斜面に対応する斜面と上方向に突出するロック棒を配置し、底面には内側方向に深く進入し弾性部材を収納するための内設穴を備える。組立時には上蓋の収納スロット内の内側に近い箇所に配置し、斜面と解除ボタンの斜面を向き合わせて密着させ、ロック棒を上蓋のロック棒孔に真正面に向かせる。上蓋と底座を併せて結合する時、弾性部材の底端は底座内壁によって押圧され、ロック嵌合部全体に上向きに移動する力が生まれ、ロック棒は上向きに上蓋のロック棒孔を貫通し外側に突出する。
【０００８】
組立時、各弾性部材を対応する嵌合装置の半円溝内に配置すると、その一端は半円溝内の端面にある挿入柱を被嵌して定位し、その後、嵌合装置を弾性部材と共に底座に対応する挿入スロット内に配置して内側方向に押し入れると、弾性部材のもう一端は挿入スロット内側端の阻止板を押圧し、阻止板上の挿入柱を被嵌して定位する。また、嵌合装置の欠口を上から下へ挿入スロットの一方側の嵌合歯に嵌設すると、嵌合歯は被押圧面を圧し、並びに、嵌合装置の位置限定溝で底座の位置限定歯を覆う。ロックボタンの嵌合足部を回転つまみの収納スロットに挿入し、二つの嵌合足部それぞれを対応する嵌入部に嵌止し、収納スロット内でロックボタン全体をスライドさせることにより、挿入部材をアーチ型穴に進入させるか後退させる。回転つまみの歯車を底座底面から上向きに大貫通孔に挿設すると、回転つまみの各嵌入部は対応する底座の欠口に進入し、更に回転させることよって嵌入部を螺着用斜体に沿って徐々に上昇させて緊密に螺着させる。回転つまみのアーチ型穴は一つの凸体に仕切られてそれに対応するため、押し動かされる挿入部材はアーチ型穴内に挿入されるか後退し、凸体に密着するか分離する。並びに、嵌合装置の直線状歯を押し入れて回転つまみの歯車に噛み合わせることにより、弾性部材は圧縮される。
【０００９】
前記回転式引掛シーリングローゼットにおいて、嵌合装置の嵌着面は上層嵌着面、上層ガイド斜面、及び下層嵌着面、下層ガイド斜面を備えた二層式とする。
【００１０】
前記回転式引掛シーリングローゼットにおいて、回転つまみには外側縁簡単支持部を備え、手での回転を便利に行うことができる。
【００１１】
前記回転式引掛シーリングローゼットにおいて、ロックボタンには上側縁簡単移動部を設け、手で押し動かすのを便利に行うことができる。
【００１２】
前記回転式引掛シーリングローゼットにおいて、回転つまみの底縁には外側に突出した弓形面を設け、ロックボタンの側面には円弧面を設けて、ロックボタンを回転つまみの収納スロット内でスライドさせる時、ロックボタンの円弧面は回転つまみの弓形面を押圧して初めて通過できる。よって、ロックボタンが外力により押し動かされることのない時に自らスライドしてしまうのを防ぐことができる。
【考案の効果】
【００１３】
本考案の回転式引掛シーリングローゼットは、嵌合装置の外部に嵌着面を形成し、吊り下げ式照明器具との結合を便利にし、尚且つ、嵌合装置が平均的に安定状態で吊り下げ式照明器具を支えられる効果を備える。
【図面の簡単な説明】
【００１４】
【図１】本考案実施例を組み立てた状態の上面斜視図である。
【図２】本考案実施例を組み立てた状態の下面斜視図である。
【図３】本考案実施例の上面斜視立体分解図である。
【図４】本考案実施例の下面斜視立体分解図である。
【図５】本考案実施例中の底座の上面斜視立体図である。
【図６】本考案実施例中の底座の下面斜視立体図である。
【図７】本考案実施例中の嵌合装置の上面斜視立体図である。
【図８】本考案実施例中の嵌合装置の下面斜視立体図である。
【図９】本考案実施例中の底座、嵌合装置、及び歯車を組み立てた状態の上面図である。
【図１０】本考案実施例中の底座、嵌合装置、及び歯車を組み立てた状態の下面斜視図である。
【図１１】本考案実施例中の回転つまみの上面斜視立体図である。
【図１２】本考案実施例中の回転つまみの下面斜視立体図である。
【図１３】本考案実施例中のロックボタンの上面斜視立体図である。
【図１４】本考案実施例中のロックボタンの下面斜視立体図である。
【図１５】本考案実施例の変更した構成要素の組立図である。
【考案を実施するための形態】
【００１５】
図１〜図４に示した本考案実施例の引掛シーリングローゼット１は、一種の回転式の引掛シーリングローゼットである。特に二層を嵌着した回転式引掛シーリングローゼットは、上蓋１０、ナット１０１、底座１１、ボルト１１１、ねじ１１２、引掛部材１２、ねじ１２１、嵌合装置１３、弾性部材１３１、回転つまみ１４、ロックボタン１４１、解除ボタン１５、ロック嵌合部１６、及び弾性部材１６１を組み合わせて構成される。その内、上蓋１０の周囲縁には三箇所に挿入スロット１０３と一箇所に収納スロット１０４（該スロットは内側に凹んだ形状にカット）を設置し、内部には二箇所に螺着穴１０５を設け、上面の二箇所には方形の貫通孔１０６と一箇所にロック棒孔１０７を貫設し、内部には二つの貫通孔柱１０８と二つの柱状穴１０９を設ける。引掛部材１２の数量は二つで、組み立て時は、ねじ１２１をそれぞれ引掛部材１２の貫通孔１２２に挿設し、並びに上蓋１０内部の螺着穴１０５に螺着し（図４参照）、引掛部材１２の湾曲鈎部１２３を上向きに上蓋１０の貫通孔１０６に貫設する（図１参照）。
【００１６】
図５及び図６に示すとおり、底座１１の周囲縁には前記挿入スロット１０３に対応して並列配置する三つの挿入スロット１１３と、前記収納スロット１０４に対応して並列配置する一つの収納スロット１１４を備え、中央には大貫通孔１１５を設置し、その内側縁には対称位置にある一組の欠口１１５１を設け、欠口１１５１のない壁面上にはそれぞれ螺着用斜体１１５２を形成し、底面上には制御用の凸体１１５３を直立状態で設ける。内部には前記貫通孔柱１０８に対応して並列配置する二つの貫通孔柱１１８と、前記柱状穴１０９に対応して並列配置する柱状穴１１９を設ける。各挿入スロット１１３の内側端には何れにも阻止板１１３１と挿入柱１１３２を備え、挿入スロット１１３の一方側の阻止板１１３１に近い箇所には嵌合歯１１６を設け、他の一方側のほぼ中段箇所には位置限定歯１１７を設ける。
【００１７】
嵌合装置１３の数量は三つで、図７及び図８に示すとおり、各嵌合装置１３の底面には半円溝１３２を備え、その端面には挿入柱１３２１を形成し、一方側には内側面に配列させた直線状歯１３３を延伸させ、同じ側の底面の外側縁には位置限定溝１３４を設け、もう一方側には垂直方向の欠口１３５を設け、側面の傍らには被押圧面１３５１を設ける。また、嵌合装置１３の外部には二層の上層嵌着面１３７と下層嵌着面１３８を一組形成する。また、その底面にはそれぞれ上層ガイド斜面１３７１と下層ガイド斜面１３８１を形成する。弾性部材１３１（例えば棒状バネ）は嵌合装置１３に係合させて使用する故、その数量は３とする。図９及び図１０に示すとおり、各弾性部材１３１を装着する時はそれぞれを対応する嵌合装置１３の半円溝１３２内に配置することにより、その一端が挿入柱１３２１を被嵌して定位され、続いて三つの嵌合装置１３を弾性部材１３１と共にそれぞれ底座１１上に対応する挿入スロット１１３内に配置し、内側方向に押し入れると、弾性部材１３１のもう一端は挿入スロット１１３内側端の阻止板１１３１を押圧し、挿入柱１１３２を被嵌して定位される。またそれと同時に、嵌合装置１３の欠口１３５を上から下へ挿入スロット１１３の一方側の嵌合歯１１６に嵌設し少し後退させると、嵌合歯１１６は被押圧面１３５１を圧する。並びに、嵌合装置１３の位置限定溝１３４で底座１１の位置限定歯１１７を覆うことにより、嵌合歯１１６による押圧と位置限定歯１１７による制限を受けて、嵌合装置１３は挿入スロット１１３から離脱できず、尚且つ嵌合装置１３全体は位置限定溝１３４の長さ範囲内だけでの前後移動を行う。
【００１８】
図１１及び図１２に示すとおり、回転つまみ１４には外側縁簡単支持部１４６を備え、手での回転を便利にする。底面中央には内側に向いた収納スロット１４２を形成し、その両側にある垂直壁の底縁にはそれぞれ嵌入部１４２１を形成し、底縁には若干外側に突出した弓形面１４２２を設ける。収納スロット１４２内の軸方向の一端壁面上にはアーチ型穴１４３を設ける。上部中央には下方向に歯車１４４を形成し、歯車１４４の基本面の外側には対称位置にある翼状嵌合部１４５を一組設ける。図１３及び図１４に示すとおり、ロックボタン１４１には上側縁簡単移動部１４１１を設け、手で押し動かすのを便利にする。基本面からは嵌合足部１４１２を延伸させ、中央の一方側には挿入部材１４１３を延伸させ、側面には円弧面１４１４を設ける。装着時は、ロックボタン１４１の上側縁簡単移動部１４１１箇所を持ち、二つの嵌合足部１４１２を回転つまみ１４の収納スロット１４２に挿入し、二つの嵌合足部１４１２のそれぞれを対応する嵌入部１４２１に嵌止させる。その後、収納スロット１４２内でロックボタン１４１全体をスライドさせることにより（スライド時は、ロックボタン１４１の円弧面１４１４が回転つまみ１４の弓形面１４２２を押圧して初めて通過できる。これにより、ロックボタン１４１が外力により押し動かされることのない場合、自らスライドしてしまうのを防ぐ役割を担う）、挿入部材１４１３をアーチ型穴１４３に進入させるか後退させる。こうして回転つまみ１４とロックボタン１４１の二者により一つの組み合わせ体が構成される。続いて、回転つまみ１４とロックボタン１４１により構成された組み合わせ体を持ち、歯車１４４を底座１１底面から上向きに大貫通孔１１５に挿設する方式で、回転つまみ１４の二つの嵌入部１４２１のそれぞれを底座１１の欠口１１５１に対応させて挿入し、更に逆時計回りに回転させることよって嵌入部１４２１を螺着用斜体１１５２に沿って徐々に上昇させ、緊密に螺着させるまでその動作を行う。サイズは設計によるため、回転つまみ１４と底座１１を緊密に螺着した時、回転つまみ１４のアーチ型穴１４３は丁度一つの凸体１１５３に仕切られてそれに対応し、その後、押し動かされた挿入部材１４１３がアーチ型穴１４３内に挿入されると、凸体１１５３に密着する。続いて、図９には、各嵌合装置１３の直線状歯１３３を押し入れて回転つまみ１４の歯車１４４に噛合させる（揃わせる方式によって直線状歯１３３に適当なストロークを行わせる）。この時、圧縮を受ける弾性部材１３１には、押し動かされる回転つまみ１４の回転による圧縮された弾力が存在する。但し、挿入部材１４１３が凸体１１５３の阻止を受けるため、回転つまみ１４は回転不可能となり、歯車１４４と各嵌合装置１３も共に停止状態となり、各嵌合装置１３の上層嵌着面１３７、下層嵌着面１３８及び上層ガイド斜面１３７１、下層ガイド斜面１３８１は、全て底座１１と上蓋１０の範囲内に収縮する。
【００１９】
解除ボタン１５の外部はプッシュ面１５１であり、内部には主に斜面１５２を備え、組立時には上蓋１０の収納スロット１０４内の外側に近い箇所に配置し、プッシュ面１５１は収納スロット１０４の外側に配置するが上蓋１０と底座１１の外径範囲内とする（図１及び図２参照）。ロック嵌合部１６には、解除ボタン１５の斜面１５２に対応する斜面１６２と上方向に突出するロック棒１６３を配置し、底面には内側方向に深く進入する内設穴１６４を備え、組立時には上蓋１０の収納スロット１０４内の内側に近い箇所に配置し、斜面１６２と解除ボタン１５の斜面１５２を向き合わせて密着させ、ロック棒１６３は上蓋１０のロック棒孔１０７に真向かう。内設穴１６４は弾性部材１６１を内設するためのもので、上蓋１０と底座１１の二者を結合する時、弾性部材１６１の底端は底座１１内壁によって押圧され、ロック嵌合部１６全体に上向きに移動する力が生まれ、ロック棒１６３は上向きに上蓋１０のロック棒孔１０７外側に突出する（図１参照）。その後、指或いは工具の力を借りてプッシュ面１５１を押圧する時、解除ボタン１５全体は収納スロット１０４に沿って内径方向に移動する。該過程において解除ボタン１５の斜面１５２は、分力でロック嵌合部１６の斜面１６２を押し動かし、従動されるロック嵌合部１６全体によって弾性部材１６１を圧縮して下降し、これによりロック棒１６３は下方向に移動し上蓋１０のロック棒孔１０７内に収縮する。その後、プッシュ面１５１を圧する力が消える（離れる）と、弾性部材１６１の弾力回復作用によってロック嵌合部１６全体が改めて上に移動し、ロック棒１６３は再度、上方向の上蓋１０のロック棒孔１０７の外側に突出し、斜面１６２が斜面１５２を押し動かし、従動される解除ボタン１５全体は収納スロット１０４に沿って軸方向に外側に移動し、図１に示される状態に戻る。
【００２０】
上述の構成関係に基づき、引掛部材１２、ねじ１２１、嵌合装置１３、弾性部材１３１、解除ボタン１５、ロック嵌合部１６、及び弾性部材１６１を上蓋１０と底座１１内の各予定位置箇所に装着し、並びに、回転つまみ１４とロックボタン１４１よりなる組み合わせ体を底座１１の大貫通孔１１５内に挿設し、逆時計回りに回転して緊密に螺着した後、上蓋１０と底座１１の二者を密着させて併せて結合し、前述の諸構成要素を全て上蓋１０と底座１１内に収納する。並びに、上蓋１０の挿入スロット１０３と底座１１の挿入スロット１１３を密着させて共に嵌合装置１３を包み込み、上蓋１０の収納スロット１０４と底座１１の収納スロット１１４を密着させて共に解除ボタン１５を包み込む。最後にボルト１１１を底座１１の外部から上向きに貫通させ、底座１１の貫通孔柱１１８と上蓋１０の貫通孔柱１０８を経て上蓋１０上面上のナット１０１に結合する。また、ねじ１１２も同様に底座１１の外部から上向きに、底座１１の柱状穴１０９を貫通し、上蓋１０内部の柱状穴１１９に螺着結合する。ボルト１１１とナット１０１の作用は、上蓋１０と底座１１を組み合わせて緊密に螺着する他、取り外す場合には、ボルト１１１を完全に抜き取らずにナット１０１を回せばよく、底座１１と上蓋１０を取り外しても突然抜け落ちることがないよう制限を設け、便利に電気的接続ができる。ねじ１１２は主に、上蓋１０と底座１１の螺着を安定させて組み立てる働きをする。引掛シーリングローゼット１全体の組み立てが完了した状態は、図１及び図２に示すとおりである。
【００２１】
引掛シーリングローゼット１の使用における操作動作及び状態は次の四種に区分される。
（１）第一種の操作動作及び状態は前述したとおりである。回転つまみ１４とロックボタン１４１の組み合わせ体と底座１１間を螺着して組み立て完了した時、回転つまみ１４のアーチ型穴１４３内に挿入されるロックボタン１４１の挿入部材１４１３は凸体１１５３の阻止を受けるため、回転つまみ１４は回転不可能となり、歯車１４４と各嵌合装置１３も共に停止状態となり、各嵌合装置１３の上層嵌着面１３７、下層嵌着面１３８及び上層ガイド斜面１３７１、下層ガイド斜面１３８１は全て、底座１１と上蓋１０の範囲内に位置し外側への移動が不可能となる。
（２）第二種の操作動作及び状態は次のとおりである。即ち、第一種の状態において、ロックボタン１４１の挿入部材１４１３が回転つまみ１４のアーチ型穴１４３から後退し、回転つまみ１４と歯車１４４は阻止されなくなるため、弾性部材１３１は圧縮された弾力を解き放ち、各嵌合装置１３を外側に押し出し、歯車１４４を時計回りに回転させる。更に回転つまみ１４とロックボタン１４１の組み合わせ体を従動して時計回りに回転させ、他の凸体１１５３位置を超える程度に回転する。この時各嵌合装置１３の上層嵌着面１３７、下層嵌着面１３８及び上層ガイド斜面１３７１、下層ガイド斜面１３８１の部位は全て外側に押し出され、底座１１及び上蓋１０の範囲外に位置する。この過程において、嵌合装置１３が外側に移動するストロークは位置限定溝１３４の長さ範囲に限定される。
（３）第三種の操作動作及び状態は次のとおりである。即ち、第二種の状態下において、回転つまみ１４を回転して従動する歯車１４４を自動的に逆時計回りに回転させるか、嵌合装置１３を内側方向に押し動かして歯車１４４を受動的に逆時計回りに回転させるかのどちらか一つの方式により、各嵌合装置１３の上層嵌着面１３７、下層嵌着面１３８及び上層ガイド斜面１３７１、下層ガイド斜面１３８１の部位を全て再度内側に移動させて底座１１及び上蓋１０の範囲内に入らせる。この過程において、圧縮した弾性部材１３１は圧縮された弾力を蓄積するため、手を放すだけで弾性部材１３１は圧縮された弾力を放出し、各嵌合装置１３の上層嵌着面１３７、下層嵌着面１３８及び上層ガイド斜面１３７１、下層ガイド斜面１３８１の部位は全て、再度底座１１と上蓋１０の範囲外に押し出される。
（４）第四種の操作動作及び状態は次のとおりである。即ち、第二種の状態下において、ロックボタン１４１の挿入部材１４１３は再度、回転つまみ１４のアーチ型穴１４３内に挿入され凸体１１５３の阻止を受けるため、回転つまみ１４は逆時計回りの回転操作が不可能となり、従動される歯車１４４と各嵌合装置１３も全て停止状態となり、各嵌合装置１３の上層嵌着面１３７、下層嵌着面１３８及び上層ガイド斜面１３７１、下層ガイド斜面１３８１の部位は底座１１と上蓋１０の範囲外に留まるだけで、底座１１及び上蓋１０の範囲内への内側方向の移動が不可能となる。
【００２２】
引掛シーリングローゼット１を使用する際は、高所の固定位置に先に取り付ける必要があり、引掛シーリングローゼット１全体を持ち、上蓋１０に突出する引掛部材１２の湾曲鈎部１２３を対応する建築物上に予設した配線の取付孔内の回転スロットに照準を合わせて回転挿入させて嵌着を完成させる。この過程において、ロック嵌合部１６のロック棒１６３が圧力を受けると下方向に移動して上蓋１０のロック棒孔１０７内に収縮し、その後引掛部材１２の嵌着が完了した後は、ロック棒１６３は正面を向いて取付孔内の一定位孔に進入する。この時、引掛シーリングローゼット１全体を逆回転させて取付孔から離脱させたい場合、該動作はロック棒孔１０７が定位孔内を圧する状態を受けて阻止されるため、随意に引掛シーリングローゼット１全体を逆回転させて取付孔から取り外せない安全性、安定性を備える。即ち、引掛シーリングローゼット１を逆回転させて取付孔から取り外す際には、先ずプッシュ面１５１を押圧して解除ボタン１５を内側方向に移動させなければならず、こうすることで従動されるロック嵌合部１６は弾性部材１６１を圧縮して下降し、ロック棒１６３は下方向に移動して上蓋１０のロック棒孔１０７内に収縮するため、この時、引掛シーリングローゼット１を逆回転させて取付孔からスムーズに取り外すことができる。
【００２３】
引掛シーリングローゼット１の高所の固定位置への取り付けを完了した後、続いて、吊り下げ式照明器具と引掛シーリングローゼット１を結合させる取付ステップに入る。引掛シーリングローゼット１を先ず前記第二種の状態に調整し、ロックボタン１４１の挿入部材１４１３を回転つまみ１４のアーチ型穴１４３から後退させると、回転つまみ１４と歯車１４４は阻止されなくなるため、第三種の状態に述べた作用を起こす。吊り下げ式照明器具を引掛シーリングローゼット１の下方から上方向の底座１１に近づけ、吊り下げ式照明器具の中央円孔（即ち取付孔）を各嵌合装置１３の下層ガイド斜面１３８１が圧せられるまで押す。取付者は上方向に力を加える動作を行い、上向きのプッシュ力が下層ガイド斜面１３８１に対して分力作用を起こし、各嵌合装置１３は弾性部材１３１を圧縮して内側に移動する。これにより、吊り下げ式照明器具は下層ガイド斜面１３８１が徐々に内側に収縮することで上に移動し、瞬時に下層ガイド斜面１３８１と下層嵌着面１３８の交差する外側縁を通過して下層嵌着面１３８上方に至る。続いて、下層ガイド斜面１３８１が瞬間にしてプッシュ力作用を受けなくなるため、各嵌合装置１３は弾性部材１３１の弾力回復作用により外側方向に位置を戻す。取付者は吊り下げ式照明器具を下層嵌着面１３８上に取り付けることを選択するなら、予定していた比較的低い位置での取り付けが完了する。
【００２４】
取付者が吊り下げ式照明器具を上層嵌着面１３７に取り付けることを選択するなら、吊り下げ式照明器具を続けて上方向に移動し上層ガイド斜面１３７１を圧する必要がある。これにより、上層ガイド斜面１３７１に対して分力作用を起こし、嵌合装置１３は弾性部材１３１を圧縮して内側に移動する。吊り下げ式照明器具は上層ガイド斜面１３７１が徐々に内側に収縮することで上に移動し、瞬時に上層ガイド斜面１３７１と上層嵌着面１３７の交差する外側縁を通過して上層嵌着面１３７上方に至る。続いて、上層ガイド斜面１３７１が瞬間にしてプッシュ力作用を受けなくなるため、嵌合装置１３は弾性部材１３１の弾力回復作用により外側方向に位置を戻す。このようにして吊り下げ式照明器具の上層嵌着面１３７上への取り付け作業が終わり、予定していた比較的高い位置での取り付けが完了する。取付完了後（比較的低い位置或いは比較的高い位置への取り付けに拘わらず）、続いて前記第四種の操作動作及び状態を実施し、各嵌合装置１３の上層嵌着面１３７、下層嵌着面１３８及び上層ガイド斜面１３７１、下層ガイド斜面１３８１の部位はこの時、底座１１と上蓋１０の範囲外に留まるだけで、底座１１及び上蓋１０の範囲内への内側方向の移動が不可能となり、よって、ロックされた安全性効果を達成する。
【００２５】
吊り下げ式照明器具の比較的低い位置或いは比較的高い位置への取り付けの何れにおいても、吊り下げ式照明器具を引掛シーリングローゼット１から取り外す時はまず、底座１１外部のロックボタン１４１の挿入部材１４１３を回転つまみ１４のアーチ型穴１４３から後退させると、回転つまみ１４と歯車１４４は阻止されなくなるため、その後、回転つまみ１４を回転して、従動する歯車１４４を自動的に逆時計回りに回転させ、各嵌合装置１３の上層嵌着面１３７、下層嵌着面１３８及び上層ガイド斜面１３７１、下層ガイド斜面１３８１の部位を全て再度内側に移動させて底座１１及び上蓋１０の範囲内に入らせる。この時、吊り下げ式照明器具は全く妨げられずに下方に向けて引掛シーリングローゼット１から離脱する。その後、回転つまみ１４の回転を解除すると、弾性部材１３１の圧縮した弾力が放出されるため、嵌合装置１３全体は外方向に移動して元の位置に戻る。
【００２６】
前記実施例の引掛シーリングローゼット１中の嵌合装置１３にはそれぞれ弾性部材１３１を係合させ、合計三つの弾性部材１３１が必要である。但し、構成要素は変更可能である。図１５に示すとおり、回転つまみ１４底面上の歯車１４４の外周上に掛止柱１４７を直立状態で配置し、底座１１内に掛止柱１１３３を直立状態で配置し、二つの掛止柱１４７、掛止柱１１３３間に弾性部材１３１’（例えばバネ）を架設することにより、歯車１４４と共に回転つまみ１４を回転させる時、弾性部材１３１は引っ張られて回復力を蓄積し、外力作用がない時は、回転つまみ１４を歯車１４４と共に引っ張り動かして元の位置に戻し、前記実施例と全く同じ作用効果を達成する。
【００２７】
以上の説明から理解されるとおり、本考案は新規の回転式引掛シーリングローゼットを提供し、それは主に嵌合装置の外部に嵌着面を形成（上下層の嵌着面としてもよい）することにより、吊り下げ式照明器具の取り付けに利便を図るもので、嵌合装置の数量は３とするため、平均的に安定した状態で吊り下げ式照明器具を支え固定することができ、使用における完全な安全性、安定性を実現する。
【００２８】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２９】
１            引掛シーリングローゼット
１０            上蓋
１０１            ナット
１０３            挿入スロット
１０４            収納スロット
１０５            螺着穴
１０６            貫通孔
１０７            ロック棒孔
１０８            貫通孔柱
１０９            柱状穴
１１            底座
１１１            ボルト
１１２            ねじ
１１３            挿入スロット
１１３１          阻止板
１１３２          挿入柱
１１３３          掛止柱
１１４            収納スロット
１１５            大貫通孔
１１５１          欠口
１１５２          螺着用斜体
１１５３          凸体
１１６            嵌合歯
１１７            位置限定歯
１１８            貫通孔柱
１１９            柱状穴
１２            引掛部材
１２１            ねじ
１２２            貫通孔
１２３            湾曲鈎部
１３            嵌合装置
１３１            弾性部材
１３２            半円溝
１３２１          挿入柱
１３３            直線状歯
１３４            位置限定溝
１３５            欠口
１３５１          被押圧面
１３７            上層嵌着面
１３７１          上層ガイド斜面
１３８            下層嵌着面
１３８１          下層ガイド斜面
１４            回転つまみ
１４１            ロックボタン
１４１１          上側縁簡単移動部
１４１２          嵌合足部
１４１３          挿入部材
１４１４          円弧面
１４２            収納スロット
１４２１          嵌入部
１４２２          弓形面
１４３            アーチ型穴
１４４            歯車
１４５            翼状嵌合部
１４６            外側縁簡単支持部
１４７            掛止柱
１５            解除ボタン
１５１            プッシュ面
１５２            斜面
１６            ロック嵌合部
１６１            弾性部材
１６２            斜面
１６３            ロック棒
１６４            内設穴
【図１】
0003174448.tif 000003
【図２】
0003174448.tif 000004
【図３】
0003174448.tif 000005
【図４】
0003174448.tif 000006
【図５】
0003174448.tif 000007
【図６】
0003174448.tif 000008
【図７】
0003174448.tif 000009
【図８】
0003174448.tif 000010
【図９】
0003174448.tif 000011
【図１０】
0003174448.tif 000012
【図１１】
0003174448.tif 000013
【図１２】
0003174448.tif 000014
【図１３】
0003174448.tif 000015
【図１４】
0003174448.tif 000016
【図１５】
0003174448.tif 000017